(57)【要約】【課題】個人情報のセキュリティが向上する、UIMカードを装着する携帯電話端末におけるユーザデータ保護システム、ユーザデータ保護方法及びそのプログラムを提供する。【解決手段】ユーザデータを保存する際、データ本体に加え、現在接続されているUIMカードが７の場合、UIMカード７のIDのAを付加して記憶装置９に保存データ１０、１１、１３のように保存される。呼出し手順中、フィルタ１４にてUIMカード７のIDと保存データに付加されたIDとが比較され、一致したデータのみ呼出しが可能となる。接続されているUIMカードが７の場合、ユーザから見えるユーザデータは仮想メモリ空間Ａ１５のように保存データ１０〜１３の内、IDが一致する１０、１１、１３だけが呼び出され出力装置にて確認できる。【選択図】図２
2005244746.tif 000002
【特許請求の範囲】
【請求項１】
UIMカードを装着する携帯電話端末におけるユーザデータ保護システムであって、
ユーザデータ保存時に前記UIMカード固有のID情報をユーザデータと関連付けしてユーザデータのID情報として一緒に保存することで、前記UIMカードのID情報ごとにユーザデータを管理するユーザデータ管理手段と、
ユーザデータ閲覧時に接続されている前記UIMカードのID情報と保存されているユーザデータのID情報とを比較するID情報比較手段と、
前記ID情報の比較により、ID情報が一致したユーザデータだけを閲覧可能にするユーザデータ閲覧制限手段とを有する、ユーザデータ保護システム。
【請求項２】
UIMカードを装着する携帯電話端末におけるユーザデータ保護システムであって、
ユーザデータ保存時に前記UIMカード固有のID情報と前記UIMカードの加入者毎のID情報とをユーザデータと関連付けしてユーザデータのID情報として一緒に保存することで、前記UIMカードのID情報及び前記UIMカードの加入者毎のID情報ごとにユーザデータを管理するユーザデータ管理手段と、
ユーザデータ閲覧時に接続されている前記UIMカードのID情報及び前記UIMカードの加入者毎のID情報と保存されているユーザデータのID情報とを比較するID情報比較手段と、
前記ID情報の比較により、ID情報が一致したユーザデータだけを閲覧可能にするユーザデータ閲覧制限手段とを有する、ユーザデータ保護システム。
【請求項３】
ユーザデータ保存時に前記ユーザデータのID情報を付加せずに保存することで、複数のユーザで共有するデータとして閲覧可能にする共有データ閲覧手段を有する、請求項１または請求項２に記載のユーザデータ保護システム。
【請求項４】
UIMカードを装着する携帯電話端末におけるユーザデータ保護方法であって、
ユーザデータ保存時に前記UIMカード固有のID情報をユーザデータと関連付けしてユーザデータのID情報として一緒に保存することで、前記UIMカードのID情報ごとにユーザデータを管理するステップと、
ユーザデータ閲覧時に接続されている前記UIMカードのID情報と保存されているユーザデータのID情報とを比較するステップと、
前記ID情報の比較により、ID情報が一致したユーザデータだけを閲覧可能にするステップとを有する、ユーザデータ保護方法。
【請求項５】
UIMカードを装着する携帯電話端末におけるユーザデータ保護方法であって、
ユーザデータ保存時に前記UIMカード固有のID情報と前記UIMカードの加入者毎のID情報とをユーザデータと関連付けしてユーザデータのID情報として一緒に保存することで、前記UIMカードのID情報及び前記UIMカードの加入者毎のID情報ごとにユーザデータを管理するステップと、
ユーザデータ閲覧時に接続されている前記UIMカードのID情報及び前記UIMカードの加入者毎のID情報と保存されているユーザデータのID情報とを比較するステップと、
前記ID情報の比較により、ID情報が一致したユーザデータだけを閲覧可能にするステップとを有する、ユーザデータ保護方法。
【請求項６】
ユーザデータ保存時に前記ユーザデータのID情報を付加せずに保存することで、複数のユーザで共有するデータとして閲覧可能にするステップを更に有する、請求項４または請求項５に記載のユーザデータ保護方法。
【請求項７】
マイクロプロセッサに請求項４から請求項６のいずれか１項に記載のユーザデータ保護方法を実行させるためのプログラム。
【発明の詳細な説明】
【技術分野】
【０００１】
本発明は、ユーザデータ保護システム、ユーザデータ保護方法及びそのプログラムに関する。
【背景技術】
【０００２】
UIM（User Identity Module；ユーザ識別モジュール）カードを使用する携帯電話装置はUIMに契約情報が格納されている為、契約を変えることなく、複数の携帯電話装置を使用できるメリットがあるが、これは逆に1つの携帯電話装置を複数のユーザがそれぞれが所有するUIMを使うことで、共同使用が可能であることにもなる。
【０００３】
しかし、現在、次のような問題がある。
【０００４】
携帯電話装置に保存されるユーザデータはUIMカードによらずすべて閲覧出来てしまう為、個人データに関するセキュリティが万全ではない。複数のユーザが携帯電話端末を共有する時、個人データを保護しようとすれば、使用者が変わる度にデータ消去又は、転送ツールを使ってユーザデータを携帯電話端末から削除するような作業が必要である。
【０００５】
従来の技術としては、UIMカードのID情報格納領域には、アクセスを許容する外部機器を特定するためのID情報が格納され、移動機から受け取ったID情報と、ID情報格納領域に格納されたID情報とを比較して認証を行い、外部機器からのアクセス要求を許容すべきか否かを判断するセキュリティー性の高いUIMカードがある（特許文献１参照。）。
【０００６】
また、移動機の記憶部及びUIMカードのEEPROMには、通信を確立している相手を特定するためのID情報と、現在のログオン・ログオフ状況を示すログフラグとが格納され、移動機及びUIMカードはログオン要求メッセージを受け取ると、記憶部及びEEPROMに格納されているID情報及びログフラグを参照し、ログオン要求を許可するか否かの認証を行う通信確立方法がある（特許文献２参照。）。
【特許文献１】特開２００２−３４４６２０号公報
【特許文献２】特開２００２−３４５０２２号公報
【発明の開示】
【発明が解決しようとする課題】
【０００７】
UIMカードを使用する携帯電話端末はユーザデータをUIMカードと携帯電話端末の双方に格納できるが、その大部分を携帯電話端末に保存している。この構成をとる携帯電話端末はUIMカードが加入者情報を保持している為、UIMカードを別の携帯電話端末に差し換えが可能で、複数の端末を利用可能であるが、逆に1台の携帯電話端末を複数のユーザが利用可能である。従来の携帯電話端末では携帯電話端末に保存されたデータは接続されたUIMカードとは関係なく閲覧が可能で、且つUIMカードを接続しないまま使用しても閲覧できてしまいユーザデータ保護に関して問題があった。
【０００８】
本発明の目的は、個人情報のセキュリティが向上する、UIMカードを装着する携帯電話端末におけるユーザデータ保護システム、ユーザデータ保護方法及びそのプログラムを提供することにある。
【課題を解決するための手段】
【０００９】
本発明のユーザデータ保護システムは、
UIMカードを装着する携帯電話端末におけるユーザデータ保護システムであって、ユーザデータ保存時にUIMカード固有のID情報をユーザデータと関連付けしてユーザデータのID情報として一緒に保存することで、UIMカードのID情報ごとにユーザデータを管理するユーザデータ管理手段と、ユーザデータ閲覧時に接続されているUIMカードのID情報と保存されているユーザデータのID情報とを比較するID情報比較手段と、ID情報の比較により、ID情報が一致したユーザデータだけを閲覧可能にするユーザデータ閲覧制限手段とを有する。
【００１０】
本発明のユーザデータ保護システムは、
UIMカードを装着する携帯電話端末におけるユーザデータ保護システムであって、ユーザデータ保存時にUIMカード固有のID情報とUIMカードの加入者毎のID情報とをユーザデータと関連付けしてユーザデータのID情報として一緒に保存することで、UIMカードのID情報及びUIMカードの加入者毎のID情報ごとにユーザデータを管理するユーザデータ管理手段と、ユーザデータ閲覧時に接続されているUIMカードのID情報及びUIMカードの加入者毎のID情報と保存されているユーザデータのID情報とを比較するID情報比較手段と、ID情報の比較により、ID情報が一致したユーザデータだけを閲覧可能にするユーザデータ閲覧制限手段とを有する。
【００１１】
また、ユーザデータ保存時にユーザデータのID情報を付加せずに保存することで、複数のユーザで共有するデータとして閲覧可能にする共有データ閲覧手段を有してもよい。
【００１２】
本発明のユーザデータ保護方法は、
UIMカードを装着する携帯電話端末におけるユーザデータ保護方法であって、ユーザデータ保存時にUIMカード固有のID情報をユーザデータと関連付けしてユーザデータのID情報として一緒に保存することで、UIMカードのID情報ごとにユーザデータを管理するステップと、ユーザデータ閲覧時に接続されているUIMカードのID情報と保存されているユーザデータのID情報とを比較するステップと、ID情報の比較により、ID情報が一致したユーザデータだけを閲覧可能にするステップとを有する。
【００１３】
本発明のユーザデータ保護方法は、
UIMカードを装着する携帯電話端末におけるユーザデータ保護方法であって、ユーザデータ保存時にUIMカード固有のID情報とUIMカードの加入者毎のID情報とをユーザデータと関連付けしてユーザデータのID情報として一緒に保存することで、UIMカードのID情報及びUIMカードの加入者毎のID情報ごとにユーザデータを管理するステップと、ユーザデータ閲覧時に接続されているUIMカードのID情報及びUIMカードの加入者毎のID情報と保存されているユーザデータのID情報とを比較するステップと、ID情報の比較により、ID情報が一致したユーザデータだけを閲覧可能にするステップとを有する。
【００１４】
また、ユーザデータ保存時にユーザデータのID情報を付加せずに保存することで、複数のユーザで共有するデータとして閲覧可能にするステップを更に有してもよい。
【００１５】
本発明のプログラムは、
マイクロプロセッサに上述のユーザデータ保護方法を実行させる。
【発明の効果】
【００１６】
本発明には、以下の効果がある。
【００１７】
第１の効果は、1台の携帯電話装置を複数のユーザがそれぞれ所有するUIMカードを接続して使用する時に自分のユーザデータだけを閲覧できる為、他者の不用なデータが表示されないことである。
【００１８】
第２の効果は、自分のユーザデータが保存してある携帯電話端末を他者に貸し与えても、自分のユーザデータが他者から確認できず個人情報のセキュリティが向上することである。
【００１９】
第３の効果は、一旦、他者に貸し与えた携帯電話端末を再び使用する場合に以前保存しておいたユーザデータを閲覧することが、可能になることで、データのバックアップ等の煩わしい作業が発生せず、保守性が良いことである。
【発明を実施するための最良の形態】
【００２０】
（発明の第１の実施の形態）
本実施の形態に用いるUIMカード１を接続して使用する携帯電話装置を図１に示す。図１を参照すると、本実施の形態は、キーボード、カメラ、赤外線、マイク等の入力装置４と、プログラム制御により動作するデータ処理装置２と、情報を記憶する記憶装置３と、ディスプレイ装置やスピーカ装置等の出力装置５とをPDC、PHS、WCDMA等の無線装置６を含み、UIMカード１を接続して使用する携帯電話装置で、データ通信が可能で、メールやブラウザ、JAVAの機能を備えている。
【００２１】
記憶装置３は、データ通信を行うメールやJAVA、入力装置から入力される文字データ、画像データ等を保存する機能を備えている。
【００２２】
データ通信や音声通信等の動作はUIMカード１の加入者情報を元に許可される。
【００２３】
次に、図１及び図２を参照して本実施の形態の動作について詳細に説明する。
【００２４】
入力装置１又は無線装置６から与えられたテキスト、画像、音声等のデータはデータ処理装置２を通して記憶装置３に保存される。これらはユーザ操作により任意に呼び出しが可能で、出力装置５にて閲覧や再生が可能となる。
【００２５】
図２は本実施の形態のユーザデータ保護システムの動作を説明する図である。図２において、ユーザデータを保存する際、データ本体に加え、現在接続されているUIMカードが７の場合、UIMカード７のIDのAを付加して記憶装置９に保存データ１０、１１、１３のように保存される。そしてUIMカード８が接続された場合はUIMカード８のIDのBを付加して記憶装置９に保存データ１２のように保存される。保存されたデータはユーザ操作により任意に記憶装置９より呼び出すことが可能であるが、この際、現在接続されているUIMカードが７の場合、呼出し手順中、フィルタ１４にてUIMカード７のIDと保存データに付加されたIDとが比較され、一致したデータのみ呼出しが可能となる。接続されているUIMカードが７の場合、ユーザから見えるユーザデータは仮想メモリ空間Ａ１５のように保存データ１０〜１３の内、IDが一致する１０、１１、１３だけが呼び出され出力装置にて確認できる。同様に接続されているUIMカードが８の場合はフィルタ１４により仮想メモリ空間Ｂ１６のように保存データ１２だけが出力装置で確認できる。
【００２６】
（発明の第２の実施の形態）
次に、本発明の第２の実施の形態について図面を参照して詳細に説明する。
【００２７】
UIMカードは1枚に複数の加入者情報の登録が可能で、UIMカード1枚にて複数のユーザが利用できる。この加入者毎のIDをUIMカードのID情報と合わせて、ユーザデータ保存時に保存する点で、第１の実施の形態と異なる。
【００２８】
加入者毎のIDも保存することで、1枚のUIMカードを1台の携帯電話端末で複数のユーザが使用する場合においても、各ユーザのデータを保護することが可能となる。
【００２９】
（発明の第３の実施の形態）
次に、本発明の第３の実施の形態について説明する。
【００３０】
本実施の形態は、ユーザデータ保存時にID情報の付加を基本とするが、これをユーザデータ保存時に保護データとするのかしないのかを選択できる機能を付加することで、複数のユーザで共有するデータを実現する。
【００３１】
保護データとすることを選択した場合はID情報と共に保存される為、保存したデータは保存したユーザのみが利用可能となる。保護しないを選択した場合はID情報が付加されず、図２のフィルタ１４にてフィルタリングされず、どのUIMカードのIDにおいても、使用可能となる。
【００３２】
また、上述の本発明の実施の形態についてのユーザデータ保護方法のプログラムにより、携帯電話装置のデータ処理装置のマイクロプロセッサにそのユーザデータ保護方法を実行させることができる。
【図面の簡単な説明】
【００３３】
【図１】本実施の形態に用いるUIMカードを接続して使用する携帯電話装置を示す図である。
【図２】本実施の形態のユーザデータ保護システムの動作を説明する図である。
【符号の説明】
【００３４】
１、７、８    UIMカード
２    データ処理装置
３、９    記憶装置
４    入力装置
５    出力装置
６    無線装置
１０、１１、１２、１３    保存データ
１４    フィルタ
１５    仮想メモリ空間Ａ
１６    仮想メモリ空間Ｂ
【図１】
2005244746.tif 000003
【図２】
2005244746.tif 000004